(57)【特許請求の範囲】
【請求項１】
0005605374.tif 000036
【請求項２】
0005605374.tif 000037
【請求項３】
0005605374.tif 000038
【発明の詳細な説明】
【技術分野】
【０００１】
本発明は、字母組合せ体系によるハングル具現道具に関し、より詳しくは、６つの字母のみで全てのハングルを具現することができる単純かつ簡潔な組合せ体系をなし、日常生活において、ハングルの独創性と優秀性及び便利さが感じられるようにした字母組合せ体系によるハングル具現道具に関する。
【背景技術】
【０００２】
周知のように、ハングルは１４４３年世宗大王が「訓民正音」という名で２８字母の文字を組み合わせて天地自然の全ての音を視覚化することができるように作られた大韓民国の代表的な文化遺産といえる。
【０００３】
一時、ハングルは、その独創性や優秀性にもかかわらず、韓国内でも軽蔑されたことがあるが、今は、世界でもその優秀性を認定され、全世界の多くの碩学と学者がハングルの科学性と独創性に賛辞を送っており、ハングルを書き、話し、活用する外国人が段々増えている趨勢にある。
【０００４】
このように、ハングルは、その優秀性と簡潔かつ統合的な体系で作られているにもかかわらず、不便かつ複雑に活用されることが多く、疎かに扱われることも多いのが現実であり、また、文字としてのハングルを韓国語と誤解することから生じる問題点も見落としている。
【０００５】
私たち自身や子供たち、ハングルを最初に接する外国人にハングルの特性と優秀性を確実に伝えるためには、ハングルが複雑になった背景をさらに検討する必要がある。ハングルの使用を複雑かつ不便にする原因を一々明らかにして直さなければならず、形態と機能は差し置いても現行のハングル活字の形では、創製原理についての説明さえ困難である状況にある。
【０００６】
0005605374.tif 000002
【０００７】
このように、ハングルは独創的かつ簡潔な構造であるにもかかわらず、複雑かつ不便に活用されている実状にあるため、さらに明らかに、ハングルの独創性と優秀性及び便利さ、また単純・簡潔な体系からなるものであることを知らせる必要がある。
【発明の概要】
【発明が解決しようとする課題】
【０００８】
本発明は、上記問題点に鑑みなされたものであり、その目的は、６つの字母のみで全てのハングルを具現することができる単純・簡潔な組合せ体系をなし、日常生活において、ハングルの独創性と優秀性、及び便利さが感じられるようにした字母の組合せ体系によるハングル具現道具を提供することにある。
【０００９】
また、他の目的は、育つ子供たちと外国人の学習教具として用いられるようにし、興味の誘発による学習効果をさらに増大させることができる字母の組合せ体系によるハングル具現道具を提供することにある。
【課題を解決するための手段】
【００１０】
0005605374.tif 000003
【００１１】
0005605374.tif 000004
【００１２】
0005605374.tif 000005
【発明の効果】
【００１３】
0005605374.tif 000006
【００１４】
0005605374.tif 000007
【００１５】
また、ハングルを産業化するにおいて、生産過程を単純化、効率化して国家経済に寄与することができるという効果がある。
【図面の簡単な説明】
【００１６】
（図１）
0005605374.tif 000008
（図２）
0005605374.tif 000009
（図３）
0005605374.tif 000010
（図４）
0005605374.tif 000011
（図５）
0005605374.tif 000012
（図６）
0005605374.tif 000013
【図７】本発明に係る６つの字母を用いて残りの字母を形成する過程を示した例示図である。
【図８】本発明に係る６つの字母を用いて残りの字母を形成する過程を示した例示図である。
【図９】本発明に係る６つの字母を用いて残りの字母を形成する過程を示した例示図である。
【図１０】本発明に係る６つの字母を用いて残りの字母を形成する過程を示した例示図である。
【図１１】本発明に係る６つの字母を用いて残りの字母を形成する過程を示した例示図である。
【図１２】本発明に係る６つの字母を用いて残りの字母を形成する過程を示した例示図である。
【図１３】本発明に係る６つの字母を用いて残りの字母を形成する過程を示した例示図である。
【図１４】本発明に係る６つの字母を用いて残りの字母を形成する過程を示した例示図である。
【図１５】本発明に係る６つの字母を用いて残りの字母を形成する過程を示した例示図である。
【図１６】本発明に係る６つの字母を用いて残りの字母を形成する過程を示した例示図である。
【図１７】本発明に係る６つの字母を用いて残りの字母を形成する過程を示した例示図である。
【図１８】本発明に係る６つの字母を用いて残りの字母を形成する過程を示した例示図である。
【図１９】本発明に係る６つの字母を用いて残りの字母を形成する過程を示した例示図である。
【図２０】本発明に係る６つの字母を用いて残りの字母を形成する過程を示した例示図である。
【図２１】本発明に係る６つの字母を用いて残りの字母を形成する過程を示した例示図である。
【図２２】本発明に係る６つの字母を用いて残りの字母を形成する過程を示した例示図である。
【図２３】本発明に係る６つの字母を用いて残りの字母を形成する過程を示した例示図である。
【図２４】本発明に係る６つの字母を用いて残りの字母を形成する過程を示した例示図である。
【図２５】本発明に係る６つの字母を用いて残りの字母を形成する過程を示した例示図である。
【図２６】本発明に係る６つの字母を用いて具現したハングルの文字の形を示した例示図である。
【図２７】図２６に示したハングルの組合せ状態を示した例示図である。
【図２８】図２６に示したハングルの組合せ状態を示した例示図である。
【図２９】図２６に示したハングルの組合せ状態を示した例示図である。
【発明を実施するための形態】
【００１７】
以下、添付した図面に基づき、本発明による字母組合せ体系について詳述する。
【００１８】
0005605374.tif 000014
【００１９】
図１乃至図６は、本発明の６つの字母が形成される過程を示した例示図である。
【００２０】
0005605374.tif 000015
【００２１】
0005605374.tif 000016
【００２２】
0005605374.tif 000017
【００２３】
0005605374.tif 000018
【００２４】
0005605374.tif 000019
【００２５】
0005605374.tif 000020
【００２６】
これにより、本発明は、Ａ＝２Ｂ、Ｃ＝Ａ＋Ｂ、Ｄ＝Ａ＋Ｃの関係式を有する字母組合せ体系をなすようになる。ここで、「（単）」と「（長）」は、長さの長短を表示して互いに区分されるようにしたものである。
【００２７】
0005605374.tif 000021
【００２８】
0005605374.tif 000022
【００２９】
0005605374.tif 000023
【００３０】
0005605374.tif 000024
【００３１】
0005605374.tif 000025
【００３２】
0005605374.tif 000026
【００３３】
0005605374.tif 000027
【００３４】
0005605374.tif 000028
【００３５】
0005605374.tif 000029
【００３６】
0005605374.tif 000030
【００３７】
0005605374.tif 000031
【００３８】
0005605374.tif 000032
【００３９】
0005605374.tif 000033
【００４０】
0005605374.tif 000034
【００４１】
0005605374.tif 000035
【００４２】
以上、本発明に係る字母組合せ体系によるハングル具現道具を具体的に説明しているが、これは、本発明の最も好適な実施様態を記載したものであるだけで、本発明がこれに限定されるものではなく、添付の特許請求の範囲によってその範囲が決定されて限定される。また、その技術の分野における通常の知識を有する者であれば、誰でも本発明の明細書の記載内容による様々な変形及び模倣を行うことができるが、これもまた本発明の範囲を逸脱するものでないことは明らかだろう。
【図１】
0005605374.tif 000039
【図２】
0005605374.tif 000040
【図３】
0005605374.tif 000041
【図４】
0005605374.tif 000042
【図５】
0005605374.tif 000043
【図６】
0005605374.tif 000044
【図７】
0005605374.tif 000045
【図８】
0005605374.tif 000046
【図９】
0005605374.tif 000047
【図１０】
0005605374.tif 000048
【図１１】
0005605374.tif 000049
【図１２】
0005605374.tif 000050
【図１３】
0005605374.tif 000051
【図１４】
0005605374.tif 000052
【図１５】
0005605374.tif 000053
【図１６】
0005605374.tif 000054
【図１７】
0005605374.tif 000055
【図１８】
0005605374.tif 000056
【図１９】
0005605374.tif 000057
【図２０】
0005605374.tif 000058
【図２１】
0005605374.tif 000059
【図２２】
0005605374.tif 000060
【図２３】
0005605374.tif 000061
【図２４】
0005605374.tif 000062
【図２５】
0005605374.tif 000063
【図２６】
0005605374.tif 000064
【図２７】
0005605374.tif 000065
【図２８】
0005605374.tif 000066
【図２９】
0005605374.tif 000067